(57)【要約】【課題】瓦桟の必要性を低減して、能率良く葺設され得るようにする。【解決手段】左右の縁部のうちの一方に下側重合部３０を有し他方に上側重合部４０を有する瓦本体２０と、瓦本体２０の裏面において瓦本体２０の裏側に突出する当接部２６と、上側重合部４０のおもて面の棟側の端部において上側重合部４０のおもて側に突出する突出被当接部とを有する。当接部２６は、葺設された際に軒側に隣接する瓦１０の突出被当接部に対して当接し、それによって当該瓦１０の重量の少なくとも一部が軒側に隣接する瓦１０によって支持される。【選択図】図２
2007113392.tif 000002
【特許請求の範囲】
【請求項１】
左右の縁部のうちの一方に下側重合部を有し他方に上側重合部を有する瓦本体と、
前記瓦本体の裏面において当該瓦本体の裏側に突出する当接部と
を有し、
前記当接部は、葺設された際に軒側に隣接する瓦に対して当接し、それによって当該瓦の重量の少なくとも一部が当該軒側に隣接する瓦によって支持されるものである、瓦。
【請求項２】
請求項１に記載の瓦であって、
前記瓦本体又は前記上側重合部のおもて面の棟側の端部又はその近傍において当該瓦本体又は当該上側重合部のおもて側に突出する突出被当接部を有し、
前記当接部は、葺設された際に軒側に隣接する瓦の前記突出被当接部に対して当接するものである、瓦。
【請求項３】
請求項１又は請求項２に記載の瓦であって、
前記瓦本体のおもて面のうちの左右方向における中央又はその近傍において当該瓦本体のおもて側に突出する係合部と、
前記上側重合部の軒側の端部に形成され、葺設された際に軒側に隣接する瓦の前記係合部が係合する被係合部と
を有する瓦。
【発明の詳細な説明】
【技術分野】
【０００１】
この発明は、瓦に関するものである。
【背景技術】
【０００２】
従来より、家屋等の建物の屋根に葺設される瓦として、次のようなものがある。
図１０に示すように、その瓦１１０は、ほぼ平板状の瓦本体１２０を有し、その左側部には下側重合部１３０が設けられ、その右側には上側重合部１４０が設けられている。
また、瓦本体１２０の裏面のうちの棟側の端部には、一対の下方突出部１２８が形成されている。各下方突出部１２８は、瓦本体１２０の裏側に突出している。瓦本体１２０の棟側の端部の近傍には釘孔部１２９が形成されている。
【０００３】
瓦１１０は、屋根に対して次のように葺設される。
まず、図１１（ａ）に示すように、屋根板Ｐに瓦桟Ｂが固定される。瓦桟Ｂは、瓦１１０が葺設される各行ごとに設けられる（瓦１１０の左右方向に対応する方向を「行」ということとする）。
すなわち、屋根板Ｐの軒側・棟側間の方向（以下、軒棟方向ともいう）には、屋根に葺設される瓦１１０の行数に対応した数の瓦桟Ｂが取り付けられる。
また、屋根板Ｐには、最も軒側の瓦の行（その軒側端部の近傍）に対応して、支持材（図示省略）が固定される。この支持材は、最も軒側の瓦を所定の傾斜角度に維持するためのものである。
【０００４】
そして、図１１（ｂ）に示すように、各瓦１１０は、下方突出部１２８において瓦桟Ｂに係止されることによって、屋根板Ｐに対して重力的に支持される。また、適宜、釘孔部１２９を通して釘が瓦桟Ｂに対して打ち付けられることによって、各瓦１１０が固定される。
このようにして、各瓦１１０は、左右方向には、下側重合部１３０の上に上側重合部１４０が重ね合わされて葺設される。また、軒棟方向には、軒棟方向において隣接する瓦１１０が左右方向に瓦１１０の幅の約半分の長さだけずれるようにして、軒側の瓦１１０の棟側縁部の上に棟側の瓦１１０の軒側縁部が重ね合わされるようにして、葺設される。
【０００５】
上述のように、従来の瓦１１０では、瓦桟Ｂに対して下方突出部１２８が係止されることによって重力的に支持される。
このため、上述の従来の瓦１１０が葺設されるためには、屋根板Ｐに対して各行ごとに瓦桟Ｂが取り付けられる必要がある。
しかしながら、瓦桟Ｂが各行ごとに取り付けられるのでは、その分、瓦の葺設作業の能率が悪く、コスト高となる。
【発明の開示】
【発明が解決しようとする課題】
【０００６】
そこで、本発明は、能率良く葺設され得る瓦を提供することを課題とする。
【課題を解決するための手段】
【０００７】
上記の課題を解決するために、請求項１に係る発明は、左右の縁部のうちの一方に下側重合部を有し他方に上側重合部を有する瓦本体と、前記瓦本体の裏面において当該瓦本体の裏側に突出する当接部とを有し、前記当接部は、葺設された際に軒側に隣接する瓦に対して当接し、それによって当該瓦の重量の少なくとも一部が当該軒側に隣接する瓦によって支持されるものである、瓦である。
【０００８】
「葺設された際に軒側に隣接する瓦に対して当接し、」には、軒側に隣接する瓦の棟側の端部（端面の場合を含む）に当接する場合が含まれる。すなわち、棟側の端面が被当接部の場合がある。また、棟側の端部のうち棟側の端面以外の部分に別個に被当接部が形成されている場合がある。また、それらの両方に該当する場合もあり得る。ここで、「棟側の端面」とは、瓦の棟側の端部において瓦のおもて面と裏面とをつなぐ面のことをいう。
【０００９】
この発明の瓦では、１つの瓦（以下、当該瓦という）について着目して説明すると（以下同様）、左右方向に隣接する瓦の下側重合部の上に当該瓦の上側重合部が重ね合わされ、軒側に隣接する瓦の棟側縁部の上に当該瓦の軒側縁部が重ね合わされて葺設される。
そして、この発明の瓦では、軒側に隣接する瓦に対して当該瓦の当接部が当接して、当該瓦の重量の少なくとも一部が当該軒側に隣接する瓦によって支持される。
このため、この発明の瓦では、屋根板に瓦の各行に対応して瓦桟を設ける必要がなくなり（すなわち、瓦桟の数を屋根に葺設される瓦の行数よりも少ない数とすることができる）、屋根板に対して瓦を葺設する作業の能率が向上する。
【００１０】
また、当接部が瓦本体の裏面において当該瓦本体の裏側に突出しているため、当該瓦が葺設された際に、当接部が看者に視認されない。このため、美観を損ねることなく、上述の効果を得ることができる。
【００１１】
請求項２に係る発明は、請求項１に係る発明の瓦であって、前記瓦本体又は前記上側重合部のおもて面の棟側の端部又はその近傍において当該瓦本体又は当該上側重合部のおもて側に突出する突出被当接部を有し、前記当接部は、葺設された際に軒側に隣接する瓦の前記突出被当接部に対して当接するものである、瓦である。
【００１２】
すなわち、この発明を独立的に記載すると、次のとおりとなる。
「左右の縁部のうちの一方に下側重合部を有し他方に上側重合部を有する瓦本体と、
前記瓦本体の裏面において当該瓦本体の裏側に突出する当接部と、
前記瓦本体又は前記上側重合部のおもて面の棟側の端部又はその近傍において当該瓦本体又は当該上側重合部のおもて側に突出する突出被当接部と
を有し、
前記当接部は、葺設された際に軒側に隣接する瓦の前記突出被当接部に対して当接し、それによって当該瓦の重量の少なくとも一部が当該軒側に隣接する瓦によって支持されるものである、
瓦。」
【００１３】
「前記瓦本体又は前記上側重合部のおもて面の棟側の端部又はその近傍において当該瓦本体又は当該上側重合部のおもて側に突出する突出被当接部を有し、」には、瓦本体又は上側重合部のおもて面の棟側の端部において当該瓦本体又は当該上側重合部のおもて側に突出する突出被当接部を有する場合が含まれる。
そして、特にその場合には、「前記当接部は、葺設された際に軒側に隣接する瓦の前記突出被当接部に対して当接するものである、」には、軒側に隣接する瓦の突出被当接部のみに対して当接部が当接する場合と、軒側に隣接する瓦（瓦本体又は上側重合部）の棟側の端面及び突出被当接部の双方に対して当接部が当接する（すなわち、棟側の端面も被当接部である）場合とがある。
【００１４】
この発明の瓦では、請求項１に係る発明の瓦の作用効果に加えて、次の作用効果が得られる。
すなわち、この発明の瓦では、突出被当接部は瓦本体又は上側重合部のおもて側に突出しており、軒側に隣接する瓦の突出被当接部に対して当該瓦の当接部が当接する。このため、被当接部が瓦本体又は上側重合部のおもて側に突出しておらず、軒側に隣接する瓦の棟側の端面に当接する場合と比較して、当接部が瓦本体の裏側に突出する突出度合いが小さくても、軒側に隣接する瓦（被当接部）に当接し得る。
このため、この発明では、その分、当接部の突出度合いが小さくて済み、瓦の製造が容易であるとともに、瓦の強度が高く保たれる。
【００１５】
請求項３に係る発明は、請求項１又は請求項２に係る発明の瓦であって、前記瓦本体のおもて面のうちの左右方向における中央又はその近傍において当該瓦本体のおもて側に突出する係合部と、前記上側重合部の軒側の端部に形成され、葺設された際に軒側に隣接する瓦の前記係合部が係合する被係合部とを有する瓦である。
【００１６】
この発明の瓦では、請求項１又は請求項２に係る発明の瓦の作用効果に加えて、次の作用効果が得られる。
上側重合部の軒側の端部に形成された被係合部が、軒側に隣接する瓦の係合部に係合される。このため、強風等によって当該瓦の上側重合部が浮き上がることが防止される。
また、下側重合部は、左右方向に隣接して当該下側重合部に重なる上側重合部を有する瓦の当該上側重合部の下側に位置し、当該左右方向に隣接する瓦に加わる重力によって押さえられる。このため、同時に当該瓦の下側重合部の浮き上がりも防止される。
こうして、瓦全体について、強風等によって浮き上がることが防止される。
【００１７】
また、上述のように、上側重合部の軒側の端部に形成された被係合部が、軒側に隣接する瓦の係合部に係合される。このため、当該瓦の位置ずれが防止される。
【００１８】
この発明の改良発明として、次のものが考えられる。
「請求項１又は請求項２に記載の瓦であって、
前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、
前記水流ガイド部の棟側の端部において前記瓦本体のおもて面から離隔して前記瓦本体の棟側に突出する係合部と、
前記上側重合部の軒側の端部に形成され、葺設された際に軒側に隣接する瓦の前記係合部が係合する被係合部と
を有する瓦。」
【００１９】
この場合は、次の作用効果が同時に得られる。
軒棟方向において隣接する瓦が左右方向に瓦の幅の約半分の長さだけずれるようにして葺設されることによって、水流ガイド部が、軒側に隣接する２つの瓦が重なり合う部分（すなわち、一方の瓦の下側重合部の上に他方の上側重合部が重なる部分）に対応することになる。このような位置関係において、瓦本体のおもて面の上を流れる雨水等は、水流ガイド部によってガイドされて流れることによって、軒側に隣接する前記２つの瓦が重なり合う部分を避けるように流れる。このため、その雨水等が、その重なり合う部分から内部（瓦の下側）へ浸入することが防止されるのである。
以上のように、この発明では、水流ガイド部によって、雨水等の浸入防止が図られるとともに、その水流ガイド部に設けられた係合部によって、瓦の浮き上がり及び位置ずれが防止されるのである。
【００２０】
また、上記請求項３に係る発明及びその改良発明に関連して、次の発明（関連発明）が考えられる。
請求項３の関連発明：
「左右の縁部のうちの一方に下側重合部を有し他方に上側重合部を有する瓦本体と、
前記瓦本体のおもて面のうちの左右方向における中央又はその近傍において当該瓦本体のおもて側に突出する係合部と、
前記上側重合部の軒側の端部に形成され、葺設された際に軒側に隣接する瓦の前記係合部が係合する被係合部と
を有する瓦。」
【００２１】
請求項３の改良発明の関連発明：
「左右の縁部のうちの一方に下側重合部を有し他方に上側重合部を有する瓦本体と、
前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、
前記水流ガイド部の棟側の端部において前記瓦本体のおもて面から離隔して前記瓦本体の棟側に突出する係合部と、
前記上側重合部の軒側の端部に形成され、葺設された際に軒側に隣接する瓦の前記係合部が係合する被係合部と
を有する瓦。」
【００２２】
これらの発明の瓦では、請求項３又はその改良発明に独自の上述の作用効果が得られる。
すなわち、従来においては、上記請求項３の改良発明から係合部及び被係合部を除去した態様の瓦が存在していた。しかしながら、その瓦の上側重合部が軒側に隣接する瓦と係合されず、その上側重合部が強風等によって浮き上がってしまうとともに、その瓦の位置がずれてしまうおそれがあった。
しかしながら、これらの発明では、それが適切に防止され得るのである。
【発明を実施するための最良の形態】
【００２３】
次に、本発明の一実施形態について、図１〜図９に基づいて説明する。
図１及び図２に示すように、この瓦１０は、全体でほぼ正方形状をしており、ほぼ平板状の瓦本体２０を有している。瓦本体２０の左側の縁部には下側重合部３０が形成され、瓦本体２０の右側の縁部には上側重合部４０が形成されている。
下側重合部３０は、段差を介して瓦本体２０よりも若干下側に位置している。下側重合部３０の軒側の端部（以下、軒側端部ともいう）は、瓦本体２０の軒側端部よりも棟側へ後退した位置にある。上側重合部４０は、段差を介して瓦本体２０よりも若干上側に位置している。
【００２４】
図１に示すように、瓦本体２０のおもて面には、水流ガイド部５０が形成されている。水流ガイド部５０は、瓦本体２０のおもて面のうちの左右方向におけるほぼ中央の部分において上方（瓦本体２０のおもて側）に突出している。水流ガイド部５０は、軒棟方向に延びており、瓦本体２０の軒側端部まで及んでいる。水流ガイド部５０は、そのうちの軒側端部の近傍の部分において、棟側から軒側に向かうにつれて左右均等に徐々に横幅が広がっている。
【００２５】
瓦本体２０及び上側重合部４０のうちの軒側端部及びその近傍は、軒側端部に向かうにつれて、徐々に下方（瓦１０の裏側の方向）に向かっている。
水流ガイド部５０の軒側端部には、切欠状の被嵌合部２３が形成されている。被嵌合部２３は、上側重合部４０に対応して形成されている。
【００２６】
水流ガイド部５０の棟側の端部（以下、棟側端部ともいう）には、係合部５２が形成されている。
係合部５２は、水流ガイド部５０の棟側端部から、棟側方向に突出している。すなわち、係合部５２は、瓦本体２０のおもて面から離隔した位置において、水流ガイド部５０の棟側端部から、さらに棟側方向に向かって瓦本体２０のおもて面とほぼ平行に延びている。
【００２７】
上側重合部４０の軒側端部には、被係合部４２が形成されている。被係合部４２は、係合部５２に対応して窪んでいる。
【００２８】
図２に示すように、瓦１０の裏面には、第１略平面部１２及び第２略平面部１４が形成されている。
第１略平面部１２は、瓦本体２０及び下側重合部３０に対応しており、ほぼ平面状をしている。第２略平面部１４は、上側重合部４０に対応しており、ほぼ平面状をしている。
第１略平面部１２には、凹状部１６が形成されている。凹状部１６は水流ガイド部５０に対応して形成されており、瓦本体１０のおもて面の側に向かって窪んでいる。すなわち、凹状部１６は、第１略平面部１２の左右方向におけるほぼ中央部分において、軒棟方向に向かって延びている。
【００２９】
瓦本体２０の裏面（第１略平面部１２）の棟側端部には、左右一対の下方突出部２８が形成されている。各下方突出部２８は、瓦本体２０の裏側に突出している。
瓦本体２０の棟側端部の近傍には、左右一対の釘孔部２９が形成されている。
【００３０】
図２及び図３に示すように、瓦本体２０の裏面の凹状部１６のうちの軒側端部の近傍には、突出部２５が形成されている。突出部２５は、凹状部１６（その底部）から瓦本体２０の裏側の方向に突出している。
突出部２５は、瓦本体２０の棟側から軒側に向かうにつれて、その高さ（突出度合い）が徐々に大きくなっている。突出部２５の軒側端部には当接部２６が形成されている。当接部２６は、瓦本体２０とほぼ直角の面である。
突出部２５（そのうちの最大突出部分である当接部２６）の高さ（瓦１０の裏側方向への突出度合い）は、第１略平面部１２よりも若干高くされている。なお、第１略平面部１２とほぼ面一、又は、第１略平面部１２よりも低い（瓦１０のおもて側に位置する）ようにされてもよい。
【００３１】
図１及び図４に示すように、上側重合部４０のおもて面の棟側端部には、突出部４５が形成されている（図４においては二点鎖線よりも上の部分である）。
突出部４５は、突出被当接部４６を有している。突出被当接部４６は、突出部４５のうちの棟側の端面であり、上側重合部４０の棟側の端面４１と面一状に、上側重合部４０のおもて面とほぼ直角に形成されている。すなわち、突出被当接部４６は、上側重合部４０の軒側の端面において、上側重合部４０のおもて側に突出している。
突出被当接部４６（突出部４５）は、上述の当接部２６（突出部２５）に対応している。
【００３２】
次に、この瓦１０の葺設方法及び作用効果について説明する。
図５に示すように、まず、屋根板Ｐには、瓦桟Ｂが固定される。瓦桟Ｂは、四角形断面を有する棒状の木材であり、瓦１０の左右方向（行の方向）に沿って延びるように取り付けられる。
瓦桟Ｂは、最も軒側の瓦１０の行（その棟側端部）に対応して設けられる。また、図５において二点鎖線で示すように、瓦桟Ｂは、屋根板Ｐの軒棟方向における途中部分に適宜設けられてもよい。
また、図６に示すように、屋根板Ｐには、最も軒側の瓦１０の行（その軒側端部の近傍）に対応して、支持材Ｓが固定される（図５においては図示省略）。支持材Ｓは、ほぼ三角形断面を有する棒状をしている。
【００３３】
そして、図６に示すように、瓦桟Ｂが設けられている行（例えば、最も軒側の行）においては、瓦１０は、下方突出部２８が瓦桟Ｂに係止され、必要に応じて、適宜、釘孔部２９を通して釘が瓦桟Ｂに対して打ち付けられることによって、瓦桟Ｂに対して固定される。
また、支持材Ｓによって、最も軒側の瓦１０が所定の傾斜角度に維持される。
【００３４】
そして、図７及び図８に示すように、瓦１０は、屋根に対して、右から左へと順に葺設されていくとともに、軒側から棟側へと順に葺設されていく。
すなわち、屋根のうち最も軒側の部分において右端部から左端部へと順に葺設された後に、それより１つ棟側の部分において右端部から左端部へと順に葺設されていく。その際、軒棟方向において隣接する瓦１０は、左右方向に瓦１０の幅の約半分の長さだけずれるようにして、葺設される。以下同様に葺設される。
【００３５】
図７〜図９に基づいて、第１瓦１０Ａ〜第５瓦１０Ｅについて詳しく説明する。ある瓦１０を第１瓦１０Ａということとし、第１瓦１０Ａの棟側に隣接し（すなわち、１つ棟側の行に位置し）、相互に左右に隣接する瓦１０のうち右側の瓦１０を第２瓦１０Ｂといい（図７，図８）、左側の瓦１０を第３瓦１０Ｃということとする（図８）。また、第１瓦１０Ａと同じ行に位置し第１瓦１０Ａの右側の瓦１０を第４瓦１０Ｄといい（図７）、左側の瓦１０を第５瓦１０Ｅということとする（図８）。
【００３６】
まず、図７に示すように、第１瓦１０Ａ及び第４瓦１０Ｄに対して、第２瓦１０Ｂを葺設する。
その際、第１瓦１０Ａの上側重合部４０が第２瓦１０Ｂの被嵌合部２３に嵌合するようにする。
また、第２瓦１０Ｂの軒側の縁部（以下、軒側縁部ともいう）が第１瓦１０Ａ及び第４瓦１０Ｄの棟側の縁部（以下、棟側縁部ともいう）の上に重なるようにする。
そして、図９に示すように、第２瓦１０Ｂの当接部２６が第１瓦１０Ａの突出被当接部４６に当接するようにする。こうして、第２瓦１０Ｂの重量（その一部）が第１瓦１０Ａによって支持される。
【００３７】
次に、図８及び図９に示すように、第１瓦１０Ａ、第２瓦１０Ｂ及び第５瓦１０Ｅに対して、第３瓦１０Ｃを葺設する。
第３瓦１０Ｃの上側重合部４０を第２瓦１０Ｂの下側重合部３０の上に重ねるとともに、第３瓦１０Ｃの軒側縁部を第１瓦１０Ａ及び第５瓦１０Ｅの棟側縁部の上に重ねる。
その際、第３瓦１０Ｃの被係合部４２を第１瓦１０Ａの係合部５２に係合させる。
また、図９に示すように、前述と同様に、第３瓦１０Ｃの当接部２６が第５瓦１０Ｅの突出被当接部に当接するようにする。こうして、第３瓦１０Ｃの重量（その一部）が第５瓦１０Ｅによって支持される。
【００３８】
以上のような作業を繰り返して、屋根に多数の瓦１０を葺設していく。
そして、見方を変えることによって、原則として、すべての瓦１０（縁端部のものを除く）が、第１瓦１０Ａ〜第５瓦１０Ｅに該当する。
【００３９】
この瓦１０では、次の効果が得られる。
図９に基づいて前述したように、棟側の瓦１０（第２瓦１０Ｂ，第３瓦１０Ｃ）の当接部２６が軒側の瓦１０（第１瓦１０Ａ，第５瓦１０Ｅ）の突出被当接部４６に当接し、棟側の瓦１０の重量（その一部）が軒側の瓦１０によって支持される。
このため、図５及び図６に示すように、原則として瓦桟Ｂが瓦１０の各行ごとに設けられる必要がなくなる。
【００４０】
ただし、図５及び図６に示すように、最も軒側の行に対応する瓦桟Ｂは必要であり、その瓦桟Ｂによって、原則としてその瓦桟Ｂよりも棟側のすべての瓦１０の重量が支持される。
また、瓦１０の行数が多い場合には、前述したように、軒棟方向における途中部分にも瓦桟Ｂが適宜設けられる（図５中、二点鎖線で示す）。そして、その瓦桟Ｂによって、その瓦桟Ｂよりも棟側の瓦１０の重力が支持されることにより、その瓦桟Ｂより軒側の瓦桟Ｂの負担が軽減される。
【００４１】
このように、この瓦１０では、屋根板Ｐに設けられる瓦桟Ｂの数を大きく軽減することが可能となり、屋根板Ｐに対して瓦１０を葺設する作業の能率が大きく向上する。
【００４２】
また、この瓦１０では、次の効果も得られる。
図８に示すように、第３瓦１０Ｃの上側重合部４０は、その被係合部４２に第１瓦１０Ａの係合部５２が係合しているために、強風等によっても浮き上がることが防止される。第２瓦１０Ｂの下側重合部３０は、その上に第３瓦１０Ｃの上側重合部４０が重なっているため、その重力によって、同じく強風等による浮き上がりが防止される。こうして、瓦１０が強風等によって浮き上がることが防止される。
【００４３】
また、第３瓦１０Ｃの被係合部４２に第１瓦の係合部５２が係合しているために、第３瓦１０Ｃの位置ずれが防止される。
すなわち、図９に基づいて前述したように、第３瓦１０Ｃは、その当接部２６において第５瓦１０Ｅ（その突出被当接部４６）に当接して重量的に支持されて、軒棟方向への移動が阻止されている（ただし、これによっては、当接部２６を中心とする第３瓦１０Ｃの回動は阻止されない）。そして、それとともに、図８に示すように被係合部４２において当該回動が阻止されることによって、第３瓦１０Ｃの位置がずれることが防止されるのである。
このようにして、瓦１０の位置ずれが防止される。
【００４４】
また、この瓦１０では、水流ガイド部５０によって、次のような効果が得られる。図７に示すように、軒棟方向において隣接する瓦１０が左右方向に瓦１０の幅の約半分の長さだけずれるようにして葺設されることによって、第２瓦１０Ｂの水流ガイド部５０が、軒側に隣接する２つの瓦１０Ａ，１０Ｄが重なり合う部分（すなわち、第４瓦１０Ｄの下側重合部３０（図７中符号なし）の上に第１瓦１０Ａの上側重合部４０が重なる部分）に対応する。このような位置関係において、第２瓦１０Ｂの上を流れる雨水等は、瓦本体２０のうちの水流ガイド部５０以外の部分を軒側方向に流れる。そして、左右に幅が広がる水流ガイド部５０の軒側端部近傍の部分によってガイドされて流れることによって、第１瓦１０Ａ及び第４瓦１０Ｄにおいては、第１瓦１０Ａ及び第４瓦１０Ｄが重なり合う部分を避けるように流れる。このため、その雨水等が、その重なり合う部分から内部（第１瓦１０Ａ及び第４瓦１０Ｄの下側）へ浸入することが防止される。
【００４５】
なお、上記のものはあくまで本発明の一実施形態にすぎず、当業者の知識に基づき種々の変更を加えた態様で本発明を実施できることはもちろんである。
例えば、突出部４５（突出被係合部４６）は必ずしも設けられる必要はなく、当接部２６が上側重合部４０の棟側の端面４１に対して当接してもよい（すなわち、棟側の端面４１が被当接部となる）。
また、突出部２５（当接部２６）の突出度合いがより大きくされて、当接部２６が突出部４５の突出被係合部４６及び上側重合部４０の棟側の端面４１の双方にわたって当接する寸法関係であってもよい。
【図面の簡単な説明】
【００４６】
【図１】本発明の一実施形態の瓦を示す斜視図である。
【図２】本発明の一実施形態の瓦を示す斜視図である。斜め下方から見た図である。
【図３】本発明の一実施形態の瓦の一部を示す縦断面図である。
【図４】本発明の一実施形態の瓦の一部を示す斜視図である。斜め後方から見た図である。
【図５】本発明の一実施形態の瓦を葺設する直前の状態の屋根を示す斜視図である。
【図６】本発明の一実施形態の瓦の葺設状態を示す縦断面図である。
【図７】本発明の一実施形態の瓦の葺設方法を示す図である。第１段階を示す。雨水等の流れも示す。
【図８】本発明の一実施形態の瓦の葺設方法を示す図である。第２段階を示す。
【図９】本発明の一実施形態の瓦の葺設状態を示す縦断面図である。図６の部分拡大図である。
【図１０】従来の瓦を示す図である。（ａ）は、斜め上方から見た斜視図であり、（ｂ）は、斜め下方から見た斜視図である。
【図１１】（ａ）は、従来の瓦を葺設する際の屋根板Ｐ及び瓦桟Ｂを示す斜視図である。（ｂ）は、従来の瓦の葺設状態を示す縦断面図である。
【符号の説明】
【００４７】
１０（１０Ａ，１０Ｂ，１０Ｃ，１０Ｄ，１０Ｅ）  瓦
２０  瓦本体
２６  当接部
３０  下側重合部
４０  上側重合部
４２  被係合部
４６  突出被当接部
５０  水流ガイド部
５２  係合部
【図１】
2007113392.tif 000003
【図２】
2007113392.tif 000004
【図３】
2007113392.tif 000005
【図４】
2007113392.tif 000006
【図５】
2007113392.tif 000007
【図６】
2007113392.tif 000008
【図７】
2007113392.tif 000009
【図８】
2007113392.tif 000010
【図９】
2007113392.tif 000011
【図１０】
2007113392.tif 000012
【図１１】
2007113392.tif 000013
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
左右の縁部のうちの一方に下側重合部を有し他方に上側重合部を有する瓦本体と、
前記瓦本体のおもて面のうちの左右方向における中央又はその近傍において当該瓦本体のおもて側に突出する係合部と、
葺設された際に軒側に隣接する瓦の前記係合部が係合する被係合部とを有し、
前記上側重合部のうちの軒側の端部及びその近傍は、軒側の端部に向かうにつれて徐々に下方に向かっており、
前記被係合部は、前記上側重合部の軒側の端部において、前記係合部に対応して窪むように形成されている、瓦。
【請求項２】
左右の縁部のうちの一方に下側重合部を有し他方に上側重合部を有する瓦本体と、
前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、
前記水流ガイド部の棟側の端部において前記瓦本体のおもて面から離隔して前記瓦本体の棟側に突出する係合部と、
前記上側重合部の軒側の端部に形成され、葺設された際に軒側に隣接する瓦の前記係合部が係合する被係合部と
を有する、瓦。
【請求項３】
左右の縁部のうちの一方に下側重合部を有し他方に上側重合部を有する瓦本体と、
前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、
前記水流ガイド部の棟側の端部において前記瓦本体のおもて面から離隔して前記瓦本体の棟側に突出する係合部と、
葺設された際に軒側に隣接する瓦の前記係合部が係合する被係合部とを有し、
前記上側重合部のうちの軒側の端部及びその近傍は、軒側の端部に向かうにつれて徐々に下方に向かっており、
前記被係合部は、前記上側重合部の軒側の端部において、前記係合部に対応して窪むように形成されている、瓦。
【手続補正２】
【補正対象書類名】明細書
【補正対象項目名】全文
【補正方法】変更
【補正の内容】
【発明の詳細な説明】
【技術分野】
【０００１】
この発明は、瓦に関するものである。
【背景技術】
【０００２】
従来より、家屋等の建物の屋根に葺設される瓦として、次のようなものがある。
図１０に示すように、その瓦１１０は、ほぼ平板状の瓦本体１２０を有し、その左側部には下側重合部１３０が設けられ、その右側には上側重合部１４０が設けられている。
また、瓦本体１２０の裏面のうちの棟側の端部には、一対の下方突出部１２８が形成されている。各下方突出部１２８は、瓦本体１２０の裏側に突出している。瓦本体１２０の棟側の端部の近傍には釘孔部１２９が形成されている。
【０００３】
瓦１１０は、屋根に対して次のように葺設される。
まず、図１１（ａ）に示すように、屋根板Ｐに瓦桟Ｂが固定される。瓦桟Ｂは、瓦１１０が葺設される各行ごとに設けられる（瓦１１０の左右方向に対応する方向を「行」ということとする）。
すなわち、屋根板Ｐの軒側・棟側間の方向（以下、軒棟方向ともいう）には、屋根に葺設される瓦１１０の行数に対応した数の瓦桟Ｂが取り付けられる。
また、屋根板Ｐには、最も軒側の瓦の行（その軒側端部の近傍）に対応して、支持材（図示省略）が固定される。この支持材は、最も軒側の瓦を所定の傾斜角度に維持するためのものである。
【０００４】
そして、図１１（ｂ）に示すように、各瓦１１０は、下方突出部１２８において瓦桟Ｂに係止されることによって、屋根板Ｐに対して重力的に支持される。また、適宜、釘孔部１２９を通して釘が瓦桟Ｂに対して打ち付けられることによって、各瓦１１０が固定される。
このようにして、各瓦１１０は、左右方向には、下側重合部１３０の上に上側重合部１４０が重ね合わされて葺設される。また、軒棟方向には、軒棟方向において隣接する瓦１１０が左右方向に瓦１１０の幅の約半分の長さだけずれるようにして、軒側の瓦１１０の棟側縁部の上に棟側の瓦１１０の軒側縁部が重ね合わされるようにして、葺設される。
【０００５】
しかしながら、従来の瓦では、強風等によって、浮き上がりや位置ずれが生ずるおそれがあった。
【発明の開示】
【発明が解決しようとする課題】
【０００６】
本発明は、瓦について、強風等による浮き上がり及び位置ずれを防止することを課題とする。
【課題を解決するための手段】
【０００７】
上記の課題を解決するために、請求項１に係る発明は、左右の縁部のうちの一方に下側重合部を有し他方に上側重合部を有する瓦本体と、前記瓦本体のおもて面のうちの左右方向における中央又はその近傍において当該瓦本体のおもて側に突出する係合部と、葺設された際に軒側に隣接する瓦の前記係合部が係合する被係合部とを有し、前記上側重合部のうちの軒側の端部及びその近傍は、軒側の端部に向かうにつれて徐々に下方に向かっており、前記被係合部は、前記上側重合部の軒側の端部において、前記係合部に対応して窪むように形成されている、瓦である。
【０００８】
請求項２に係る発明は、左右の縁部のうちの一方に下側重合部を有し他方に上側重合部を有する瓦本体と、前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、前記水流ガイド部の棟側の端部において前記瓦本体のおもて面から離隔して前記瓦本体の棟側に突出する係合部と、前記上側重合部の軒側の端部に形成され、葺設された際に軒側に隣接する瓦の前記係合部が係合する被係合部とを有する、瓦である。
【０００９】
請求項３に係る発明は、左右の縁部のうちの一方に下側重合部を有し他方に上側重合部を有する瓦本体と、前記瓦本体のおもて面のうちの左右方向における中央又はその近傍において当該瓦本体のおもて側に突出し、当該瓦本体の軒棟方向に延び、当該瓦本体のおもて面の上を流れる水が、軒側に隣接する２つの瓦の重なり部分を避けるように流れるのをガイドする水流ガイド部と、前記水流ガイド部の棟側の端部において前記瓦本体のおもて面から離隔して前記瓦本体の棟側に突出する係合部と、葺設された際に軒側に隣接する瓦の前記係合部が係合する被係合部とを有し、前記上側重合部のうちの軒側の端部及びその近傍は、軒側の端部に向かうにつれて徐々に下方に向かっており、前記被係合部は、前記上側重合部の軒側の端部において、前記係合部に対応して窪むように形成されている、瓦である。
【００１０】
請求項１〜請求項３に係る発明の瓦では、次のように葺設され、次の作用効果が得られる。
１つの瓦（以下、当該瓦という）について着目して説明すると、左右方向に隣接する瓦の下側重合部の上に当該瓦の上側重合部が重ね合わされ、軒側に隣接する瓦の棟側縁部の上に当該瓦の軒側縁部が重ね合わされて葺設される。
そして、上側重合部の軒側の端部に形成された被係合部が、軒側に隣接する瓦の係合部に係合される。このため、強風等によって当該瓦の上側重合部が浮き上がることが防止される。
また、下側重合部は、左右方向に隣接して当該下側重合部に重なる上側重合部を有する瓦の当該上側重合部の下側に位置し、当該左右方向に隣接する瓦に加わる重力によって押さえられる。このため、同時に当該瓦の下側重合部の浮き上がりも防止される。
こうして、瓦全体について、強風等によって浮き上がることが防止される。
また、上述のように、上側重合部の軒側の端部に形成された被係合部が、軒側に隣接する瓦の係合部に係合される。このため、当該瓦の位置ずれが防止される。
【００１１】
請求項２及び請求項３に係る発明の瓦では、さらに、次の作用効果が同時に得られる。
軒棟方向において隣接する瓦が左右方向に瓦の幅の約半分の長さだけずれるようにして葺設されることによって、水流ガイド部が、軒側に隣接する２つの瓦が重なり合う部分（すなわち、一方の瓦の下側重合部の上に他方の上側重合部が重なる部分）に対応することになる。このような位置関係において、瓦本体のおもて面の上を流れる雨水等は、水流ガイド部によってガイドされて流れることによって、軒側に隣接する前記２つの瓦が重なり合う部分を避けるように流れる。このため、その雨水等が、その重なり合う部分から内部（瓦の下側）へ浸入することが防止されるのである。
以上のように、この発明では、水流ガイド部によって、雨水等の浸入防止が図られるとともに、その水流ガイド部に設けられた係合部によって、瓦の浮き上がり及び位置ずれが防止されるのである。
【発明を実施するための最良の形態】
【００１２】
次に、本発明の一実施形態について、図１〜図９に基づいて説明する。
図１及び図２に示すように、この瓦１０は、全体でほぼ正方形状をしており、ほぼ平板状の瓦本体２０を有している。瓦本体２０の左側の縁部には下側重合部３０が形成され、瓦本体２０の右側の縁部には上側重合部４０が形成されている。
下側重合部３０は、段差を介して瓦本体２０よりも若干下側に位置している。下側重合部３０の軒側の端部（以下、軒側端部ともいう）は、瓦本体２０の軒側端部よりも棟側へ後退した位置にある。上側重合部４０は、段差を介して瓦本体２０よりも若干上側に位置している。
【００１３】
図１に示すように、瓦本体２０のおもて面には、水流ガイド部５０が形成されている。水流ガイド部５０は、瓦本体２０のおもて面のうちの左右方向におけるほぼ中央の部分において上方（瓦本体２０のおもて側）に突出している。水流ガイド部５０は、軒棟方向に延びており、瓦本体２０の軒側端部まで及んでいる。水流ガイド部５０は、そのうちの軒側端部の近傍の部分において、棟側から軒側に向かうにつれて左右均等に徐々に横幅が広がっている。
【００１４】
瓦本体２０及び上側重合部４０のうちの軒側端部及びその近傍は、軒側端部に向かうにつれて、徐々に下方（瓦１０の裏側の方向）に向かっている。
水流ガイド部５０の軒側端部には、切欠状の被嵌合部２３が形成されている。被嵌合部２３は、上側重合部４０に対応して形成されている。
【００１５】
水流ガイド部５０の棟側の端部（以下、棟側端部ともいう）には、係合部５２が形成されている。
係合部５２は、水流ガイド部５０の棟側端部から、棟側方向に突出している。すなわち、係合部５２は、瓦本体２０のおもて面から離隔した位置において、水流ガイド部５０の棟側端部から、さらに棟側方向に向かって瓦本体２０のおもて面とほぼ平行に延びている。
【００１６】
上側重合部４０の軒側端部には、被係合部４２が形成されている。被係合部４２は、係合部５２に対応して窪んでいる。
【００１７】
図２に示すように、瓦１０の裏面には、第１略平面部１２及び第２略平面部１４が形成されている。
第１略平面部１２は、瓦本体２０及び下側重合部３０に対応しており、ほぼ平面状をしている。第２略平面部１４は、上側重合部４０に対応しており、ほぼ平面状をしている。
第１略平面部１２には、凹状部１６が形成されている。凹状部１６は水流ガイド部５０に対応して形成されており、瓦本体１０のおもて面の側に向かって窪んでいる。すなわち、凹状部１６は、第１略平面部１２の左右方向におけるほぼ中央部分において、軒棟方向に向かって延びている。
【００１８】
瓦本体２０の裏面（第１略平面部１２）の棟側端部には、左右一対の下方突出部２８が形成されている。各下方突出部２８は、瓦本体２０の裏側に突出している。
瓦本体２０の棟側端部の近傍には、左右一対の釘孔部２９が形成されている。
【００１９】
図２及び図３に示すように、瓦本体２０の裏面の凹状部１６のうちの軒側端部の近傍には、突出部２５が形成されている。突出部２５は、凹状部１６（その底部）から瓦本体２０の裏側の方向に突出している。
突出部２５は、瓦本体２０の棟側から軒側に向かうにつれて、その高さ（突出度合い）が徐々に大きくなっている。突出部２５の軒側端部には当接部２６が形成されている。当接部２６は、瓦本体２０とほぼ直角の面である。
突出部２５（そのうちの最大突出部分である当接部２６）の高さ（瓦１０の裏側方向への突出度合い）は、第１略平面部１２よりも若干高くされている。なお、第１略平面部１２とほぼ面一、又は、第１略平面部１２よりも低い（瓦１０のおもて側に位置する）ようにされてもよい。
【００２０】
図１及び図４に示すように、上側重合部４０のおもて面の棟側端部には、突出部４５が形成されている（図４においては二点鎖線よりも上の部分である）。
突出部４５は、突出被当接部４６を有している。突出被当接部４６は、突出部４５のうちの棟側の端面であり、上側重合部４０の棟側の端面４１と面一状に、上側重合部４０のおもて面とほぼ直角に形成されている。すなわち、突出被当接部４６は、上側重合部４０の軒側の端面において、上側重合部４０のおもて側に突出している。
突出被当接部４６（突出部４５）は、上述の当接部２６（突出部２５）に対応している。
【００２１】
次に、この瓦１０の葺設方法及び作用効果について説明する。
図５に示すように、まず、屋根板Ｐには、瓦桟Ｂが固定される。瓦桟Ｂは、四角形断面を有する棒状の木材であり、瓦１０の左右方向（行の方向）に沿って延びるように取り付けられる。
瓦桟Ｂは、最も軒側の瓦１０の行（その棟側端部）に対応して設けられる。また、図５において二点鎖線で示すように、瓦桟Ｂは、屋根板Ｐの軒棟方向における途中部分に適宜設けられてもよい。
また、図６に示すように、屋根板Ｐには、最も軒側の瓦１０の行（その軒側端部の近傍）に対応して、支持材Ｓが固定される（図５においては図示省略）。支持材Ｓは、ほぼ三角形断面を有する棒状をしている。
【００２２】
そして、図６に示すように、瓦桟Ｂが設けられている行（例えば、最も軒側の行）においては、瓦１０は、下方突出部２８が瓦桟Ｂに係止され、必要に応じて、適宜、釘孔部２９を通して釘が瓦桟Ｂに対して打ち付けられることによって、瓦桟Ｂに対して固定される。
また、支持材Ｓによって、最も軒側の瓦１０が所定の傾斜角度に維持される。
【００２３】
そして、図７及び図８に示すように、瓦１０は、屋根に対して、右から左へと順に葺設されていくとともに、軒側から棟側へと順に葺設されていく。
すなわち、屋根のうち最も軒側の部分において右端部から左端部へと順に葺設された後に、それより１つ棟側の部分において右端部から左端部へと順に葺設されていく。その際、軒棟方向において隣接する瓦１０は、左右方向に瓦１０の幅の約半分の長さだけずれるようにして、葺設される。以下同様に葺設される。
【００２４】
図７〜図９に基づいて、第１瓦１０Ａ〜第５瓦１０Ｅについて詳しく説明する。ある瓦１０を第１瓦１０Ａということとし、第１瓦１０Ａの棟側に隣接し（すなわち、１つ棟側の行に位置し）、相互に左右に隣接する瓦１０のうち右側の瓦１０を第２瓦１０Ｂといい（図７，図８）、左側の瓦１０を第３瓦１０Ｃということとする（図８）。また、第１瓦１０Ａと同じ行に位置し第１瓦１０Ａの右側の瓦１０を第４瓦１０Ｄといい（図７）、左側の瓦１０を第５瓦１０Ｅということとする（図８）。
【００２５】
まず、図７に示すように、第１瓦１０Ａ及び第４瓦１０Ｄに対して、第２瓦１０Ｂを葺設する。
その際、第１瓦１０Ａの上側重合部４０が第２瓦１０Ｂの被嵌合部２３に嵌合するようにする。
また、第２瓦１０Ｂの軒側の縁部（以下、軒側縁部ともいう）が第１瓦１０Ａ及び第４瓦１０Ｄの棟側の縁部（以下、棟側縁部ともいう）の上に重なるようにする。
そして、図９に示すように、第２瓦１０Ｂの当接部２６が第１瓦１０Ａの突出被当接部４６に当接するようにする。こうして、第２瓦１０Ｂの重量（その一部）が第１瓦１０Ａによって支持される。
【００２６】
次に、図８及び図９に示すように、第１瓦１０Ａ、第２瓦１０Ｂ及び第５瓦１０Ｅに対して、第３瓦１０Ｃを葺設する。
第３瓦１０Ｃの上側重合部４０を第２瓦１０Ｂの下側重合部３０の上に重ねるとともに、第３瓦１０Ｃの軒側縁部を第１瓦１０Ａ及び第５瓦１０Ｅの棟側縁部の上に重ねる。
その際、第３瓦１０Ｃの被係合部４２を第１瓦１０Ａの係合部５２に係合させる。
また、図９に示すように、前述と同様に、第３瓦１０Ｃの当接部２６が第５瓦１０Ｅの突出被当接部に当接するようにする。こうして、第３瓦１０Ｃの重量（その一部）が第５瓦１０Ｅによって支持される。
【００２７】
以上のような作業を繰り返して、屋根に多数の瓦１０を葺設していく。
そして、見方を変えることによって、原則として、すべての瓦１０（縁端部のものを除く）が、第１瓦１０Ａ〜第５瓦１０Ｅに該当する。
【００２８】
この瓦１０では、次の効果が得られる。
図９に基づいて前述したように、棟側の瓦１０（第２瓦１０Ｂ，第３瓦１０Ｃ）の当接部２６が軒側の瓦１０（第１瓦１０Ａ，第５瓦１０Ｅ）の突出被当接部４６に当接し、棟側の瓦１０の重量（その一部）が軒側の瓦１０によって支持される。
このため、図５及び図６に示すように、原則として瓦桟Ｂが瓦１０の各行ごとに設けられる必要がなくなる。
【００２９】
ただし、図５及び図６に示すように、最も軒側の行に対応する瓦桟Ｂは必要であり、その瓦桟Ｂによって、原則としてその瓦桟Ｂよりも棟側のすべての瓦１０の重量が支持される。
また、瓦１０の行数が多い場合には、前述したように、軒棟方向における途中部分にも瓦桟Ｂが適宜設けられる（図５中、二点鎖線で示す）。そして、その瓦桟Ｂによって、その瓦桟Ｂよりも棟側の瓦１０の重力が支持されることにより、その瓦桟Ｂより軒側の瓦桟Ｂの負担が軽減される。
【００３０】
このように、この瓦１０では、屋根板Ｐに設けられる瓦桟Ｂの数を大きく軽減することが可能となり、屋根板Ｐに対して瓦１０を葺設する作業の能率が大きく向上する。
【００３１】
また、この瓦１０では、次の効果も得られる。
図８に示すように、第３瓦１０Ｃの上側重合部４０は、その被係合部４２に第１瓦１０Ａの係合部５２が係合しているために、強風等によっても浮き上がることが防止される。
第２瓦１０Ｂの下側重合部３０は、その上に第３瓦１０Ｃの上側重合部４０が重なっているため、その重力によって、同じく強風等による浮き上がりが防止される。
こうして、瓦１０が強風等によって浮き上がることが防止される。
【００３２】
また、第３瓦１０Ｃの被係合部４２に第１瓦１０Ａの係合部５２が係合しているために、第３瓦１０Ｃの位置ずれが防止される。
すなわち、図９に基づいて前述したように、第３瓦１０Ｃは、その当接部２６において第５瓦１０Ｅ（その突出被当接部４６）に当接して重量的に支持されて、軒棟方向への移動が阻止されている（ただし、これによっては、当接部２６を中心とする第３瓦１０Ｃの回動は阻止されない）。そして、それとともに、図８に示すように被係合部４２において当該回動が阻止されることによって、第３瓦１０Ｃの位置がずれることが防止されるのである。
このようにして、瓦１０の位置ずれが防止される。
【００３３】
また、この瓦１０では、水流ガイド部５０によって、次のような効果が得られる。
図７に示すように、軒棟方向において隣接する瓦１０が左右方向に瓦１０の幅の約半分の長さだけずれるようにして葺設されることによって、第２瓦１０Ｂの水流ガイド部５０が、軒側に隣接する２つの瓦１０Ａ，１０Ｄが重なり合う部分（すなわち、第４瓦１０Ｄの下側重合部３０（図７中符号なし）の上に第１瓦１０Ａの上側重合部４０が重なる部分）に対応する。
このような位置関係において、第２瓦１０Ｂの上を流れる雨水等は、瓦本体２０のうちの水流ガイド部５０以外の部分を軒側方向に流れる。そして、左右に幅が広がる水流ガイド部５０の軒側端部近傍の部分によってガイドされて流れることによって、第１瓦１０Ａ及び第４瓦１０Ｄにおいては、第１瓦１０Ａ及び第４瓦１０Ｄが重なり合う部分を避けるように流れる。
このため、その雨水等が、その重なり合う部分から内部（第１瓦１０Ａ及び第４瓦１０Ｄの下側）へ浸入することが防止される。
【００３４】
なお、上記のものはあくまで本発明の一実施形態にすぎず、当業者の知識に基づき種々の変更を加えた態様で本発明を実施できることはもちろんである。
例えば、突出部４５（突出被係合部４６）は必ずしも設けられる必要はなく、当接部２６が上側重合部４０の棟側の端面４１に対して当接してもよい（すなわち、棟側の端面４１が被当接部となる）。
また、突出部２５（当接部２６）の突出度合いがより大きくされて、当接部２６が突出部４５の突出被係合部４６及び上側重合部４０の棟側の端面４１の双方にわたって当接する寸法関係であってもよい。
【図面の簡単な説明】
【００３５】
【図１】本発明の一実施形態の瓦を示す斜視図である。
【図２】本発明の一実施形態の瓦を示す斜視図である。斜め下方から見た図である。
【図３】本発明の一実施形態の瓦の一部を示す縦断面図である。
【図４】本発明の一実施形態の瓦の一部を示す斜視図である。斜め後方から見た図である。
【図５】本発明の一実施形態の瓦を葺設する直前の状態の屋根を示す斜視図である。
【図６】本発明の一実施形態の瓦の葺設状態を示す縦断面図である。
【図７】本発明の一実施形態の瓦の葺設方法を示す図である。第１段階を示す。雨水等の流れも示す。
【図８】本発明の一実施形態の瓦の葺設方法を示す図である。第２段階を示す。
【図９】本発明の一実施形態の瓦の葺設状態を示す縦断面図である。図６の部分拡大図である。
【図１０】従来の瓦を示す図である。（ａ）は、斜め上方から見た斜視図であり、（ｂ）は、斜め下方から見た斜視図である。
【図１１】（ａ）は、従来の瓦を葺設する際の屋根板Ｐ及び瓦桟Ｂを示す斜視図である。（ｂ）は、従来の瓦の葺設状態を示す縦断面図である。
【符号の説明】
【００３６】
１０（１０Ａ，１０Ｂ，１０Ｃ，１０Ｄ，１０Ｅ）  瓦
２０  瓦本体
２６  当接部
３０  下側重合部
４０  上側重合部
４２  被係合部
４６  突出被当接部
５０  水流ガイド部
５２  係合部